Podtech/llm-jp-corpus-v4-ja_patent huggingface dataset:
(57)【特許請求の範囲】
【請求項１】
下面が平らであって、ゴム又は合成樹脂等の表面素材より硬い物で表面を球面型状に成型した縁付き下台に、微粒発泡ゴム（スポンジ）又は弾力性素材よりなる表面の素材を密着させて表面を球面型状とした、どんな場所でも軽い力で簡単に失敗なく確実に捺印が出来る様にした捺印台。
【請求項２】
朱肉本体の底部に、請求項１に記載の捺印台が着脱できるようにセットされた捺印朱肉セット。
【発明の詳細な説明】
【技術分野】
【０００１】本発明は捺印台の表面が球面型状をした捺印台と捺印朱肉セットであり、捺印時に於けるミス及びムラを解決できるものである。
【背景技術】
【０００２】従来の捺印台は平坦なゴム等により印の内部が不鮮明に捺印され、朱肉をたっぷり付け捺印も汚れてしまう事が多かった。また、日付印・ゴム印等も不鮮明で特に日付等は捺印しても写らなかった事も多かった。
【発明の開示】
【発明が解決しようとする課題】
【０００３】捺印がきれいに少ないインク・朱肉でも鮮明な捺印が出来る様にしたものである。
【課題を解決するための手段】
【０００４】捺印台の素材を微粒発泡ゴム（スポンジ）等、弾力性のある素材にし、弾力により捺印の時、印の内圧が多く掛る様に捺印台の表面を球面型状にした。
【発明の効果】
【０００５】  捺印する印が大きくなればなる程、捺印すると中心部が不鮮明であったがこの表面が球面型状の捺印台を使用すると捺印した時、印の中心より強く押され紙が完全に密着し、スポンジが沈む程度の力で鮮明な捺印が出来る様にした。特に印鑑・ゴム印・日付印等は回転ゴム印の段差が有っても鮮明に捺印が出来た。ゴム印も同様である。
【実施例１】
【０００６】図１・図２の様に表面が球面になった一体型捺印台で微粒発泡ゴム（スポンジ）又は、弾力性素材を使用し球面型状の捺印台ができる。捺印する時印の中心部より押され紙と印が完全に密着し鮮明な捺印が出来る。特に印鑑・ゴム印・日付印等の回転ゴム印の段差が有っても鮮明に捺印が出来る。
【実施例２】
【０００７】図３・図４の様な捺印台を球面型状にする為に、図５の断面図の様に下台に合成樹脂等の表面素材より硬い物で球面型状に成型し、それに微粒発砲ゴム（スポンジ）又は弾力性素材を密着させ球面型状の捺印台が出来る。この構造の捺印台は印鑑の捺印に適しており印の中心部より強く押される為に、捺印で苦労した印の中心部のカスレも無く又写らなかった印影も失敗なく鮮明に捺印できる。
【実施例３】
【０００８】図８の様な小鉢型で内部が球面型状をした印台ケースに微粒発砲ゴム（スポンジ）又は弾力性素材を密着させ、図６・図７の様な捺印台が出来る。この捺印台を図９の様に朱肉本体の底にセットする事によって、捺印時に脱着し使用ができ何時でもどんな悪条件の場所に於いても、鮮明な捺印が失敗なく出来る朱肉セットである。
【図面の簡単な説明】
【０００９】
【図１】  本発明の球面型状捺印台の平面図である。
【図２】  本発明の球面型状捺印台の断面図である。
【図３】  本発明の下台付球面型状捺印台の正面図である。
【図４】  本発明の下台付球面型状捺印台の側面図である。
【図５】  本発明の下台付球面型状捺印台の断面図である。
【図６】  本発明の印台ケース付球面型状捺印台の正面図である。
【図７】  本発明の印台ケース付球面型状捺印台の側面図である。
【図８】  本発明の印台ケース付球面型状捺印台の断面図である。
【図９】  本発明の捺印朱肉セットの参考図である。
【符号の説明】
【００１０】  １  弾力性素材（スポンジ等）
２  捺印台下台
３  印台ケース
【図１】
0005062474.tif 000002
【図２】
0005062474.tif 000003
【図３】
0005062474.tif 000004
【図４】
0005062474.tif 000005
【図５】
0005062474.tif 000006
【図６】
0005062474.tif 000007
【図７】
0005062474.tif 000008
【図８】
0005062474.tif 000009
【図９】
0005062474.tif 000010
(57)【特許請求の範囲】
【請求項１】
竪型モータの下方に連結せられ上下方向の軸線を有するポンプケーシングが、モータ軸の導下先端部に嵌着された羽根車を収容する羽根車室と、該羽根車室の直下において下面中央に吸込口を有し横方向に吐出口を有する渦巻室とからなり、前記羽根車の羽根板下縁と平行に渦巻室の下面を水平として対向空間を設け、吐出口の天井は前記羽根板下縁よりも高くシュラウド下面よりは低い位置にあり、羽根車室の内周下縁と渦巻室の上縁内周との間に形成される境界線が、渦巻室の巻きの始端部では羽根板下縁とほぼ等高位置にあり、巻きの終端部ではほぼ吐出口の天井位置まで上昇する上り勾配状に形成して、吐出口付近における羽根板のほぼ下半部までが渦巻室側に位置するよう構成したことを特徴とする、水中ポンプの羽根車室内における夾雑物閉塞防止構造。
【請求項２】
羽根車室の内周下縁と渦巻室の上縁内周との間に形成される境界線が、渦巻室の巻きの始端部から中間部にかけては羽根板下縁とほぼ等高位置に形成され、中間部から巻きの終端部にかけては吐出口のほぼ天井位置まで上昇する上り勾配状に形成されていることを特徴とする、請求項１記載の水中ポンプの羽根車室内における夾雑物閉塞防止構造。
【発明の詳細な説明】
【０００１】
【発明の技術分野】
本発明は、夾雑物を含む汚水中で使用される水中ポンプの羽根車室内における夾雑物閉塞防止構造に関するものである。
【０００２】
【従来技術とその問題点】
この種の水中ポンプは一般に、固形拘の通過を良好にするため図５に示すよう、サクションカバー上面と羽根板下縁１０９ｅとの間隔を大きくとり、羽根車室１０５の内周縁と渦巻室１０８の上縁内周との間に形成される境界線１０２Ｌは羽根板下縁１０９ｅとほぼ等高位置において水平で、羽根車１０４の全体が羽根車室１０５内に完全に収容された態様となり、羽根板下縁１０９ｅと吐出口１０７の天井１０７ｅもほぼ等高であるため、大きな固形物を通過させるには適している。しかし小さな夾雑物や繊維状の夾雑物は羽根車室１０５内へ入り込み易く、一旦入り込めば脱離し難く回転体部分に噛み込んだり絡み付いてポンプの運転を不能にする惧れもある。
【０００３】
【発明の目的】
本発明の目的は、大きな固形物の通過性が良好であるだけではなく、小さな夾雑物や繊維状の夾雑物の羽根車室内への入り込み阻止作用が働くと共に吐出口への誘導機能を有する、水中ポンプの羽根車室内における夾雑物閉塞防止構造を提供することにある。
【０００４】
【発明の構成】
本発明に係る請求項１記載の水中ポンプの羽根車室内における夾雑物閉塞防止構造では、堅型モータの下方に連結せられ上下方向の軸線を有するポンプケーシングが、モータ軸の導下先端部に嵌着された羽根車を収容する羽根車室と、該羽根車室の直下において下面中央に吸込口を有し横方向に吐出口を有する渦巻室とからなり、前記羽根車の羽根板下縁と平行に渦巻室の下面を水平として対向空間を設け、吐出口の天井は前記羽根板下縁よりも高くシュラウド下面よりは低い位置にあり、羽根車室の内周下縁と渦巻室の上縁内周との間に形成される境界線が、渦巻室の巻きの始端部では羽根板下縁とほぼ等高位置にあり、巻きの終端部ではほぼ吐出口の天井位置まで上昇する上り勾配状に形成して、吐出口付近における羽根板のほぼ下半部までが渦巻室側に位置するよう構成した。
【０００５】
また、本発明に係る請求項２記載の水中ポンプの羽根車室内における夾雑物閉塞防止構造では、羽根車室の内周下縁と渦巻室の上縁内周との間に形成される境界線が、渦巻室の巻きの始端部から中間部にかけては羽根板下縁とほぼ等高位置に形成され、中間部から巻きの終端部にかけては吐出口のほぼ天井位置まで上昇する上り勾配状に形成されていることを特徴とする。
【０００６】
【実施例】
以下実施例の図１ないし図４により説明をする。
【０００７】
１は竪型モータ、２は竪型モータ１の下方に連結せられ上下方向の軸線を有するポンプケーシングであり、モータ軸３の導下先端部に嵌着された羽根車４を収容する羽根車室５と、該羽根車室５の直下において下面中央に吸込口６を有し横方向に吐出口７を有する渦巻室８とからなり、前記羽根車４の羽根板下縁９ｅと平行に渦巻室８の下面を水平として対向空間を設け、吐出口７の天井７ｃは前記羽根板下縁９ｅよりは高くシュラウド面１０ｕよりは低い位置にあり、羽根車室５の内周下縁と渦巻室８の上縁内周との間に形成される境界線２Ｌが、渦巻室８の巻きの始端部８ａでは羽根板下縁９ｅとほぼ等高位置にあり、巻きの終端部８ｃではほぼ吐出口７の天井位置７ｃまで上昇する上り勾配状に形成される。境界線２Ｌの更に望ましい形態として、渦巻室８の巻きの始端部８ａから中間部８ｂにかけては羽根板下縁９ｅとほぼ等高位置に保持せられ、中間部８ｂから巻きの終端部８ｃにかけては吐出口７の天井位置７ｃまで上昇する上り勾配状に形成する。渦巻室８の巻きの終端部８ｃにおける軸線方向の寸法は、巻きの始端部８ａにおける軸線方向の寸法よりも大きく形成されて吐出口７付近で深くなり、それに対応する部分での羽根車室５の軸線方向の寸法は相対的に小さく形成されて、羽根車室５が吐出口７付近で浅くなっている。従って巻きの始端部８ａ付近では羽根板９のほぼ全体が羽根車室５内に収まるが、巻きの終端部８ｃ付近では羽根板９のほぼ下半部までが境界線２Ｌを超えて渦巻室８側に係入した状態となり、羽根板下縁９ｅは吐出口７の天井７ｃよりも下方に位置することになる。
【０００８】
【作用】
このように、巻きの終端部８ｃ付近で羽根車室５が浅くなり且つ羽根板９のほぼ下半部あたりまでが渦巻室８側に係入しているため、小さな夾雑物や繊維状の夾雑物について、羽根車室５内への入り込み阻止作用と、羽根車室５内からの追出し作用が働くと共に、吐出口７への誘導機能が伴って夾雑物は揚水と共に吐出される。
【０００９】
【発明の効果】
本発明によれば、大きな固形物の通過性が良好であるだけではなく、小さな夾雑物や繊維状の夾雑物が羽根車室５内へ入り込むことを阻止し得ると共に吐出口７へ誘導して揚水と一緒に夾雑物を排出するので、回転体部分への夾雑物の噛み込みや絡み付きによる閉塞を生じることがない。
【図面の簡単な説明】
【図１】  本発明構造を備えた水中ポンプの要部縦断側面図である。
【図２】  本発明構造におけるポンプケーシングの平面図である。
【図３】  図２のＡ−Ａ線における縦断側面図である。
【図４】  図２のＢ−Ｂ線における縦断側面図である。
【図５】  従来の構造を例示した水中ポンプの要部縦断側面図である。
【符号の説明】
１      竪型モータ
２      ポンプケーシング
２Ｌ    境界線
３      モータ軸
４      羽根車
５      羽根車室
６      吸込口
７      吐出口
７ｃ    吐出口の天井
８      渦巻室
８ａ    巻きの始端部
８ｂ    巻きの中間部
８ｃ    巻きの終端部
９      羽根板
９ｅ    羽根板下縁
１０ｕ  シュラウド下面
【図１】
0004888872.tif 000002
【図２】
0004888872.tif 000003
【図３】
0004888872.tif 000004
【図４】
0004888872.tif 000005
【図５】
0004888872.tif 000006
(57)【特許請求の範囲】
【請求項１】
ベビーカー本体を含むハンモック型ベビーカーにおいて、
前脚及び後脚と、
前脚及び後脚を連結する左右の連結バーと、
左右の連結バーと別体に設けられ、これら連結バーを互いにつなぐステーとを備え、
ステーによってベビーカー本体に吊設されたシートの座面を支持するようにし、
上記ステーに、そのステーから前後方向に延びる座面支持部材を連結バーと別体に突設したことを特徴とする、ハンモック型ベビーカー。
【発明の詳細な説明】
【０００１】
【発明の属する技術分野】
本発明は、乳幼児用のシートをベビーカー本体から吊設したハンモック型ベビーカーに係り、特にそのシートの座面部を前脚及び後脚を連結する左右の連結バーを互いにつなぐステーによって支持するようにしたハンモック型ベビーカーに関する。
【０００２】
【従来の技術】
図２は、乳幼児用のシートをベビーカー本体から吊設したハンモック型ベビーカーの概略構成を示す一部切り欠き斜視図であり、前輪１１を有する左右一対の前脚１２、後輪１３を有する左右一対の後脚１４、ほぼＵ字状に屈曲された手押杆１５、及び左右一対のアームレスト１６によりベビーカー本体が構成されている。そして上記左右のアームレスト１６、１６間には着脱可能なガードアーム１７が掛け渡されている。上記手押杆１５を構成する左右のパイプ１８の先端近傍部にはそれぞれ上記アームレスト１６の一端が枢着されており、その各アームレスト１６の他端に前脚１２の頂端部が枢着されている。また、左右の後脚１４の頂端部も上記アームレスト１６の中間部に枢着されており、その後脚１４の頂端部にはく字状に屈曲されたブラッケット１９の一端が枢着されている。そして、そのブラッケット１９の中間位置に前記パイプ１８の先端がそれぞれ枢着されており、ベビーカーの展開状態において、上記ブラッケット１９の他端に形成された係合部に上記パイプ１８の下端部に摺動可能に装着されたロック部材２０が係合し、その展開状態を維持するようにしてある。
【０００３】
一方、上記左右の前脚１２は前側連結バー２１によって連結されており、左右の後脚１４は後側連結バー２２によって連結されている。さらに、各前脚１２の中間部には連結バー２３の前端が枢着され、その連結バー２３の後端が上記ブラッケット１９とともにパイプ１８の先端部に枢着され、また左右の連結バー２３の中間部がステー２４によって連結されている。
【０００４】
しかして、パイプ１８の下端に設けられているロック部材２０をブラッケット１９の上端に設けられている係止部に係合することによって、ベビーカーが使用可能な展開状態に保持される。一方、手押杆１５に設けられている操作装置２５を操作することにより上記ロック部材２０とブラッケット１９との係合が離脱されると、アームレスト１６及び連結バー２３が前記パイプ１８と各枢着点を中心として上方に揺動可能となり、前脚１２と後脚１４とがほぼ平行状態に揺動され、携帯に便利なように折り畳むことができる。
【０００５】
さらに、手押杆１５、前側連結バー２１、後側連結バー２２、及び上側連結バー２４は、２つの同一垂直面内において各中間部の２カ所がジョイントにより折り畳み可能としてある。したがって、上述のように前脚１２と後脚１４を平行状態に折り畳んだ後左右のパイプ１８を前方に移動させると、上記手押し杆１５、前側連結バー２１、後側連結バー２２、及び上側連結バー２４の両端部が前方に折り曲げられ、ベビーカーを三つ折り状態に折り畳むことができる。
【０００６】
ところで、左右のパイプ１８及び連結バー２３に幼児用のシート２６が取り付けられている。すなわち、幼児用のシート２６の背部が左右のパイプ１８に装着され、座面部が左右の連結バー２３に取り付けられ、所謂ハンモック状に吊設されている。そして、前記ステー２４によって上記座面部が支持されている。
【０００７】
【発明が解決しようとする課題】
ところが、このようなハンモック型ベビーカーにおいては、座面部内に板状の心材が内装されているので、座面部が左右方向に移動することはなく安定しているけれども、この座面部は左右方向に延びる１本の棒状のステー２４で支持されているだけであるので、前後方向にはきわめて不安定である等の問題がある。本発明はこのような点に鑑み、シートの座面部の安定性を向上しうるようにしたベビーカーを得ることを目的とする。
【０００８】
【課題を解決するための手段】
本発明は、ベビーカー本体を含むハンモック型ベビーカーにおいて、前脚及び後脚と、前脚及び後脚を連結する左右の連結バーと、左右の連結バーと別体に設けられ、これら連結バーを互いにつなぐステーとを備え、ステーによってベビーカー本体に吊設されたシートの座面を支持するようにし、上記ステーに、そのステーから前後方向に延びる座面支持部材を連結バーと別体に突設したことを特徴とする、ハンモック型ベビーカーである。
【０００９】
【発明の実施の形態】
以下、図１を参照して本発明の実施の形態について説明する。
【００１０】
図１は、本発明のベビーカーの要部のみを示す部分図であり、各前脚１２の中間部には連結バー２３の前端が枢着され、その連結バー２３の後端が後脚１４に枢着されたブラッケット１９とともにパイプ１８の先端部に枢着されており、上記左右の連結バー２３の中間部がステー２４によって連結されている。上記ステー２４にはその中間部２カ所にジョイント２４a、２４bが設けられており、そのジョイント２４a、２４bで折り畳み可能としてある。
【００１１】
これらの構成は従来のものと同一であるが、本発明においては、上記ステー２４に、上記ジョイント２４a及び２４bより外側部分の２カ所において前後方向に延びる座面支持部材３０が突設されている。
【００１２】
そして、前述のようにベビーカー本体に乳幼児用のシート２６を吊設した場合、その座面部、特に座面内に内装された心材２６aが単にステー２４ばかりでなくそのステー２４から前後方向に延びる座面支持部材３０によって支持されるようにしてある。
【００１３】
しかして、シートの座面がステー２４から前後方向に延びる座面支持部材３０で支持され、従来のようにステー２４を中心として揺動することがなく、座面の安定性を向上させることができる。
【００１４】
【発明の効果】
以上説明したように、本発明は、前脚及び後脚を連結する左右の連結バーを互いにつなぐステーに、そのステーから前後方向に延びる座面支持部材を突設したので、ハンモック型のシートの座面部が上記ステーから前後方向に延びる座面支持部材で支持され、座面がステーを中心として揺動したり前後に移動することが防止され、座面の安定性が向上し、乗り心地を良くすることができる等の効果を奏する。
【図面の簡単な説明】
【図１】本発明のベビーカーの要部を示す部分図。
【図２】従来のベビーカーの概略構成を示す斜視図。
【符号の説明】
１２  前脚
１４  後脚
２３  連結バー
２４  ステー
２６  シート
２６a  心材
３０  座面支持部材
【図１】
0004902074.tif 000002
【図２】
0004902074.tif 000003